【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
移動モバイルクライアントのための時間的関連コンテンツを決定するための装置であって、該装置は、
検索基準を受信し、該移動モバイルクライアントの現在の場所を持続的に受信するための通信モジュールと、
該通信モジュールに通信可能に連結され、道路ネットワーク地図上で該移動モバイルクライアントの場所を持続的に突き止めるための場所決定モジュールと、
該通信モジュールに通信可能に連結され、該移動モバイルクライアントに伝送されるべき時間的または地理的関連着目コンテンツを決定するための着目コンテンツ決定モジュールであって、該着目コンテンツは、複数の他のモバイルクライアントによって作成され、該地理的関連着目コンテンツは、該移動モバイルクライアントの現在の場所に関連し、該検索基準に対応し、該時間的関連着目コンテンツは、該現在の場所を受信する事前決定された時間間隔内で該他のモバイルクライアントによって作成され、該検索基準に対応する、着目コンテンツ決定モジュールと
を含む、装置。
【請求項２】
前記通信モジュールは、１人以上のコンテンツ生成者によって生成された新しい着目コンテンツを受信するようにさらに構成されている、請求項１に記載の装置。
【請求項３】
前記場所決定モジュールに通信可能に連結され、前記道路ネットワーク地図上で前記移動モバイルクライアントによって移動可能な複数のルートを持続的に予測するための予測ツリージェネレータをさらに含み、該複数の予測されたルートは、該移動モバイルクライアントの現在の場所の変化に伴って変化し、前記伝送された関連着目コンテンツは、該複数の予測されたルートのうちの少なくとも１つと関連する、請求項１または２に記載の装置。
【請求項４】
前記着目コンテンツの時間的関連性を決定するために使用される前記事前決定された時間間隔は、該着目コンテンツと関連付けられた場所の種類に応じて異なる、請求項１〜３のいずれかに記載の装置。
【請求項５】
前記通信モジュールは、前記移動モバイルクライアントに、前記決定された着目コンテンツに関する情報の最初の薄層と、後の厚層とを伝送し、該薄層は、コンテンツ生成者識別子と、該決定された着目コンテンツに関連する場所とを含み、該厚層は、該決定された着目コンテンツを含む、請求項１〜４のいずれかに記載の装置。
【請求項６】
移動モバイルデバイスの場所に関連する着目コンテンツを通信するように構成される装置であって、該装置は、
サーバに、検索基準を伝送し、該サーバに、該モバイルクライアントの現在の場所を持続的に伝送し、該サーバから、着目コンテンツを持続的に受信するための通信モジュールであって、該着目コンテンツは、他の移動モバイルデバイスの複数のユーザによって生成されたコンテンツを含み、該受信された着目コンテンツは、該検索基準に基づき、該移動モバイルデバイスの現在の場所または該移動モバイルデバイスの予測された場所に関連し、該着目コンテンツに含まれた該コンテンツは、該現在の場所の伝送の事前決定された時間間隔内で該他の移動モバイルデバイスによって生成される、通信モジュールと、
該受信された着目コンテンツを記憶するための記憶モジュールと、
該記憶モジュールに通信可能に連結され、該移動モバイルデバイスの現在の場所を持続的に決定するための現在の場所決定モジュールと、
該移動モバイルデバイスのユーザに、該受信された着目コンテンツを通信するためのユーザインターフェースモジュールと
を含む、装置。
【請求項７】
前記通信モジュールは、前記サーバから、前記着目コンテンツに関する情報の最初の薄層と、後の厚層とを受信し、該薄層は、コンテンツ生成者識別子と、決定された着目コンテンツに関連する場所とを含み、該厚層は、該決定された着目コンテンツを含む、請求項６に記載の装置。
【請求項８】
前記ユーザインターフェースモジュールは、ユーザが、前記受信された着目コンテンツをコンテンツ生成者群または個人のコンテンツ生成者によって生成されたコンテンツに制限することを可能にする、請求項６または７に記載の装置。
【請求項９】
前記ユーザインターフェースモジュールは、ユーザが、前記移動モバイルデバイスの現在の場所に対する可能性のある着目コンテンツを記録し、該可能性のある着目コンテンツを前記サーバに伝送することを可能にする、請求項６〜８のいずれかに記載の装置。
【請求項１０】
移動モバイルクライアントのための時間的関連コンテンツを決定する方法であって、該方法は、
検索基準を受信することと、
該移動モバイルクライアントの現在の場所を持続的に受信することと、
道路ネットワーク地図上で該移動モバイルクライアントの場所を持続的に突き止めることと、
該移動モバイルクライアントに伝送されるべき時間的または地理的関連着目コンテンツを決定することであって、該着目コンテンツは、他の移動モバイルクライアントの複数のユーザによって作成されたコンテンツを含み、該地理的関連着目コンテンツは、該移動モバイルクライアントの現在の場所に関連し、該検索基準に対応し、該時間的関連着目コンテンツは、該現在の場所を受信する事前決定された時間間隔内で該他の移動モバイルクライアントの該ユーザによって生成され、該検索基準に対応する、ことと
を含む、方法。
【請求項１１】
１人以上のコンテンツ生成者によって作成された新しい着目コンテンツを受信することをさらに含み、前記時間的または地理的関連着目コンテンツは、該新しい着目コンテンツと、既存のコンテンツとから検索される、請求項１０に記載の方法。
【請求項１２】
前記道路ネットワーク地図上で前記移動モバイルクライアントによって移動可能な複数のルートを持続的に予測することをさらに含み、該複数の予測されたルートは、該移動モバイルクライアントの現在の場所の変化に伴って変化し、前記伝送された関連着目コンテンツは、該複数の予測されたルートのうちの少なくとも１つに関連する、請求項１０または１１に記載の方法。
【請求項１３】
前記着目コンテンツの時間的関連性を決定するために使用される前記事前決定された時間間隔は、前記着目コンテンツと関連する場所の種類に応じて異なる、請求項１０〜１２のいずれかに記載の方法。
【請求項１４】
前記移動モバイルクライアントに、前記決定された着目コンテンツに関する情報の最初の薄層と、後の厚層とを伝送することをさらに含み、該薄層は、コンテンツ生成者識別子と、該決定された着目コンテンツに関連する場所とを含み、該厚層は、該決定された着目コンテンツを含む、請求項１０〜１３のいずれかに記載の方法。
【請求項１５】
移動モバイルデバイスの場所に関連する着目コンテンツを通信する方法であって、該方法は、
該移動モバイルデバイスの現在の場所を持続的に決定することと、
サーバに、該モバイルクライアントの現在の場所を持続的に伝送することと、
該サーバから、該着目コンテンツを持続的に受信することであって、該着目コンテンツは、他のモバイルデバイスの複数のユーザによって作成されたコンテンツを含み、該着目コンテンツは、検索基準に基づき、該移動モバイルデバイスの現在の場所または該移動モバイルデバイスの予測された場所に関連し、該着目コンテンツに含まれた該コンテンツは、該現在の場所の伝送の事前決定された時間間隔内で該他のモバイルデバイスの該ユーザによって作成される、ことと、
該移動モバイルデバイスのユーザに、該受信された着目コンテンツを通信することと
を含む、方法。
【請求項１６】
前記着目コンテンツを受信することは、前記サーバから、該着目コンテンツに関する情報の最初の薄層と、後の厚層とを受信することを含み、該薄層は、コンテンツ生成者識別子と、該着目コンテンツに関連する場所とを含み、該厚層は、該着目コンテンツを含む、請求項１５に記載の方法。
【請求項１７】
選択されたコンテンツ生成者群または個人のコンテンツ生成者によって作成されたコンテンツを受信することと、
該受信された着目コンテンツを該受信されたコンテンツ生成者群または該受信された個人のコンテンツ生成者によって生成されたコンテンツに制限することと
をさらに含む、請求項１５または１６に記載の方法。
【請求項１８】
前記移動モバイルデバイスの現在の場所に対する可能性のある着目コンテンツを記録することと、
該可能性のある着目コンテンツを前記サーバに伝送することと
をさらに含む、請求項１５〜１７のいずれかに記載の方法。
【請求項１９】
前記受信された着目コンテンツをユーザ群または個人のユーザによって作成されたコンテンツに制限することをさらに含む、請求項１５〜１８のいずれかに記載の方法。
【請求項２０】
前記着目コンテンツ決定モジュールは、前記着目コンテンツを特定のユーザまたは他のモバイルクライアントの特定のユーザ群によって作成されたコンテンツに制限する、請求項１〜５のいずれかに記載の装置。
【手続補正２】
【補正対象書類名】明細書
【補正対象項目名】００１４
【補正方法】変更
【補正の内容】
【００１４】
加えて、ユーザは、開示されるシステムの一実施形態を使用して、埋め込まれたマルチメディアメモとともに、そのルートの動画または双方向マルチメディア表現等の視覚表現を作成可能である。開示されるシステムにおけるサーバは、ルートを移動している間、ユーザのモバイルクライアントデバイスのルートおよびモバイルクライアントデバイスを通して生成されたメモを追跡する。次いで、サーバは、ルートの視覚表現とともに、ウェブプレゼンテーションを作成する。次に、サーバは、表現の埋め込まれた部分が強調されると、メモがレンダリングされるように、視覚表現内の適切な地点に、メモを埋め込む。プレゼンテーションを完了後、サーバは、例えば、ＭＹＳＰＡＣＥまたはＦＡＣＥＢＯＯＫウェブページ、ＡＨＡＭＯＢＩＬＥウェブサイト、ＹＯＵＴＵＢＥウェブページ等、ユーザのウェブサイト上でプレゼンテーションを公開する。一実施形態では、ユーザが作成するマルチメディアメモは、ユーザが指定する場所または受信者へのＭＭＳメッセージとして送信される。
例えば、本発明は以下の項目を提供する。
（項目１）
移動モバイルクライアントのための時間的関連コンテンツを決定するための装置であって、
検索基準を受信し、該移動モバイルクライアントの現在の場所を持続的に受信するための通信モジュールと、
該通信モジュールに通信可能に連結され、道路ネットワーク地図上で該移動モバイルクライアントの場所を持続的に突き止めるための場所決定モジュールと、
該通信モジュールに通信可能に連結され、該移動モバイルクライアントに伝送されるべき時間的または地理的関連着目コンテンツを決定するための着目コンテンツ決定モジュールであって、該地理的関連着目コンテンツは、該移動モバイルクライアントの現在の場所に関連し、該検索基準に対応し、該時間的関連着目コンテンツは、該現在の場所の受信から事前決定された時間間隔内で生成され、該検索基準に対応する、着目コンテンツ決定モジュールと
を備える、装置。
（項目２）
前記通信モジュールは、１人以上のコンテンツ生成者によって生成された新しい着目コンテンツを受信するようにさらに構成される、項目１に記載の装置。
（項目３）
前記場所決定モジュールに通信可能に連結され、前記道路ネットワーク地図上で前記移動モバイルクライアントによって移動可能な複数のルートを持続的に予測するための予測ツリージェネレータをさらに備え、
該複数の予測されたルートは、該移動モバイルクライアントの現在の場所の変化に伴って変化し、
伝送された関連着目コンテンツは、該複数の予測されたルートのうちの少なくとも１つと関連する、項目１に記載の装置。
（項目４）
前記着目コンテンツの時間的関連性を決定するために使用される前記事前決定された時間間隔は、該着目コンテンツと関連付けられた場所の種類に応じて異なる、項目１に記載の装置。
（項目５）
前記着目コンテンツは、複数の移動モバイルクライアントの複数のユーザによって作成される、項目１に記載の装置。
（項目６）
前記通信モジュールは、前記移動モバイルクライアントに、決定された着目コンテンツに関する情報の最初の薄層と、後の厚層とを伝送し、該薄層は、コンテンツ生成者識別子と、該決定された着目コンテンツに関連する場所とを備え、該厚層は、該決定された着目コンテンツを備える、項目１に記載の装置。
（項目７）
移動モバイルデバイスの場所に関連する着目コンテンツを通信するように構成される装置であって、
サーバに、検索基準を伝送し、該サーバに、該モバイルクライアントの現在の場所を持続的に伝送し、該サーバから、該着目コンテンツを持続的に受信するための通信モジュールであって、該着目コンテンツは、該検索基準に基づき、該移動モバイルデバイスの現在の場所または該移動モバイルデバイスの予測される場所に関連する、通信モジュールと、
該受信した着目コンテンツを記憶するための記憶モジュールと、
該記憶モジュールに通信可能に連結され、該移動モバイルデバイスの現在の場所を持続的に決定するための現在の場所決定モジュールと、
該移動モバイルデバイスのユーザに、該受信した着目コンテンツを通信するためのユーザインターフェースモジュールと
を備える、装置。
（項目８）
前記通信モジュールは、前記サーバから、前記着目コンテンツに関する情報の最初の薄層と、後の厚層とを受信し、該薄層は、コンテンツ生成者識別子と、決定された着目コンテンツに関連する場所とを備え、該厚層は、該決定された着目コンテンツを備える、項目７に記載の装置。
（項目９）
前記ユーザインターフェースモジュールは、ユーザが、受信される着目コンテンツをコンテンツ生成者群または個人のコンテンツ生成者によって生成されるコンテンツに制限することを可能にする、項目７に記載の装置。
（項目１０）
前記ユーザインターフェースモジュールは、ユーザが、前記移動モバイルデバイスの現在の場所に対する可能性のある着目コンテンツを記録し、該可能性のある着目コンテンツを前記サーバに伝送することを可能にする、項目７に記載の装置。
（項目１１）
移動モバイルクライアントのための時間的関連コンテンツを決定する方法であって、
検索基準を受信することと、
該移動モバイルクライアントの現在の場所を持続的に受信することと、
道路ネットワーク地図上で該移動モバイルクライアントの場所を持続的に突き止めることと、
該移動モバイルクライアントに伝送されるべき時間的または地理的関連着目コンテンツを決定することであって、該地理的関連着目コンテンツは、該移動モバイルクライアントの現在の場所に関連し、該検索基準に対応し、該時間的関連着目コンテンツは、該現在の場所の受信から事前決定された時間間隔内で生成され、該検索基準に対応する、ことと
を含む、方法。
（項目１２）
１人以上のコンテンツ生成者によって生成された新しい着目コンテンツを受信することをさらに含み、前記時間的または地理的関連着目コンテンツは、該新しい着目コンテンツと、既存のコンテンツとから検索される、項目１１に記載の方法。
（項目１３）
前記道路ネットワーク地図上で前記移動モバイルクライアントによって移動可能な複数のルートを持続的に予測することをさらに含み、
該複数の予測されたルートは、該移動モバイルクライアントの現在の場所の変化に伴って変化し、
伝送される関連着目コンテンツは、該複数の予測されたルートのうちの少なくとも１つに関連する、項目１１に記載の方法。
（項目１４）
前記着目コンテンツの時間的関連性を決定するために使用される前記事前決定された時間間隔は、前記着目コンテンツと関連する場所の種類に応じて異なる、項目１１に記載の方法。
（項目１５）
前記着目コンテンツは、複数の移動モバイルクライアントの複数のユーザによって作成される、項目１１に記載の方法。
（項目１６）
前記移動モバイルクライアントに、決定された着目コンテンツに関する情報の最初の薄層と、後の厚層とを伝送することをさらに含み、該薄層は、コンテンツ生成者識別子と、該決定された着目コンテンツに関連する場所とを含み、該厚層は、該決定された着目コンテンツを含む、項目１１に記載の方法。
（項目１７）
移動モバイルデバイスの場所に関連する着目コンテンツを通信する方法であって、
該移動モバイルデバイスの現在の場所を持続的に決定することと、
サーバに、該該モバイルクライアントの現在の場所を持続的に伝送することと、
該サーバから、該着目コンテンツを持続的に受信することであって、該着目コンテンツは、検索基準に基づき、該移動モバイルデバイスの現在の場所または該移動モバイルデバイスの予測される場所に関連する、ことと、
該移動モバイルデバイスのユーザに、該受信した着目コンテンツを通信することと
を含む、方法。
（項目１８）
前記着目コンテンツを受信することは、前記サーバから、該着目コンテンツに関する情報の最初の薄層と、後の厚層とを受信することを含み、該薄層は、コンテンツ生成者識別子と、該着目コンテンツに関連する場所とを含み、該厚層は、該着目コンテンツを含む、項目１７に記載の方法。
（項目１９）
選択されたコンテンツ生成者群または個人のコンテンツ生成者を受信することと、
受信される着目コンテンツを該受信したコンテンツ生成者群または該受信した個人のコンテンツ生成者によって生成されたコンテンツに制限することと
をさらに含む、項目１７に記載の方法。
（項目２０）
前記移動モバイルデバイスの現在の場所に対する可能性のある着目コンテンツを記録することと、
該可能性のある着目コンテンツを前記サーバに伝送することとをさらに含む、項目１７に記載の方法。